(57)【要約】【課題】サブディスプレイの機能を失うことなくサブディスプレイを省略することができる電子機器を提供する。【解決手段】電子機器１１が折り畳まれると、ヒンジブラケット１６の閉じ姿勢でディスプレイパネルの画面は本体筐体１４に覆い隠される。ヒンジブラケット１６の閉じ姿勢でディスプレイ用筐体１５が特定角位置に位置決めされると、本体筐体１４の縁からディスプレイパネル２１の画面ははみ出す。電子機器１１の使用者は部分画面で表示を確認することができる。こういった部分画面はいわゆるサブディスプレイパネルと同等に機能することができる。従来のサブディスプレイパネルは省略されることができる。電子機器１１のデザインの自由度は増大する。【選択図】図１１
2008153901.tif 000002
【特許請求の範囲】
【請求項１】
本体筐体と、表面で本体筐体の表側平坦面に重ね合わせられ、ディスプレイパネルの画面を臨ませる窓孔を表面に区画するディスプレイ用筐体と、本体筐体の表側平坦面に平行な第１回転軸回りで回転自在に本体筐体に連結され、表面でディスプレイ用筐体の裏面を受け止め、本体筐体の表側平坦面にディスプレイ用筐体を重ね合わせる閉じ姿勢から、本体筐体に対して第１回転軸回りにディスプレイ用筐体を開かせる開き姿勢まで姿勢変化を許容するヒンジブラケットと、ヒンジブラケットが閉じ姿勢を確立する際に本体筐体の表側平坦面に直交する第２回転軸回りに回転自在にヒンジブラケットにディスプレイ用筐体を連結し、本体筐体でディスプレイ用筐体の窓孔を完全に覆い隠す基準角位置から第２回転軸回りに少なくとも９０度の範囲でディスプレイ用筐体の回転を許容するとともに、基準角位置から９０度未満の特定角位置でディスプレイ用筐体の回転を規制し本体筐体の縁からディスプレイパネルの画面をはみ出させる連結機構とを備えることを特徴とする電子機器。
【請求項２】
請求項１に記載の電子機器において、前記特定角位置は基準角位置から４５度に設定されることを特徴とする電子機器。
【請求項３】
請求項１に記載の電子機器において、ヒンジブラケットには、閉じ姿勢の確立時に前記ディスプレイ用筐体が前記特定角位置に位置決めされるとディスプレイ用筐体の輪郭に合わせ込まれる輪郭が規定されることを特徴とする電子機器。
【請求項４】
請求項１に記載の電子機器において、ヒンジブラケットおよびディスプレイ用筐体のいずれか一方に取り付けられる磁石と、ヒンジブラケットおよびディスプレイ用筐体の他方に取り付けられて、閉じ姿勢の確立時に前記ディスプレイ用筐体が前記特定角位置に位置決めされると磁石に向き合わせられる磁力センサーと、磁力センサーの出力に基づき閉じ姿勢の確立時に前記基準角位置のディスプレイ用筐体が検出されると、前記ディスプレイパネルの画面から表示を消去し、磁力センサーの出力に基づき閉じ姿勢の確立時に前記特定角位置のディスプレイ用筐体が検出されると、ディスプレイパネルの画面上で本体筐体から外側に視認可能な特定の表示を映し出す制御回路とをさらに備えることを特徴とする電子機器。
【請求項５】
本体筐体と、表面で本体筐体の表側平坦面に重ね合わせられ、ディスプレイパネルの画面を臨ませる窓孔を表面に区画するディスプレイ用筐体と、本体筐体の表側平坦面に平行な第１回転軸回りで回転自在に本体筐体に連結され、表面でディスプレイ用筐体の裏面を受け止め、本体筐体の表側平坦面にディスプレイ用筐体を重ね合わせる閉じ姿勢から、本体筐体に対して第１回転軸回りにディスプレイ用筐体を開かせる開き姿勢まで姿勢変化を許容するヒンジブラケットと、ヒンジブラケットが閉じ姿勢を確立する際に本体筐体の表側平坦面に直交する第２回転軸回りに回転自在にヒンジブラケットにディスプレイ用筐体を連結し、本体筐体でディスプレイ用筐体の窓孔を完全に覆い隠す基準角位置から第２回転軸回りに順方向および逆方向に少なくとも各々９０度の範囲でディスプレイ用筐体の回転を許容するとともに、基準角位置から順方向および逆方向に９０度未満の特定角位置でディスプレイ用筐体の回転を規制し本体筐体の縁からディスプレイパネルの画面をはみ出させる連結機構とを備えることを特徴とする電子機器。
【請求項６】
請求項５に記載の電子機器において、前記特定角位置は基準角位置から±４５度に設定されることを特徴とする電子機器。
【請求項７】
請求項５に記載の電子機器において、ヒンジブラケットには、閉じ姿勢の確立時に前記ディスプレイ用筐体が前記特定角位置に位置決めされるとディスプレイ用筐体の輪郭に合わせ込まれる輪郭が規定されることを特徴とする電子機器。
【請求項８】
請求項５に記載の電子機器において、ヒンジブラケットおよびディスプレイ用筐体のいずれか一方に取り付けられる磁石と、ヒンジブラケットおよびディスプレイ用筐体の他方に取り付けられて、閉じ姿勢の確立時に前記ディスプレイ用筐体が前記特定角位置に位置決めされると磁石に向き合わせられる磁力センサーと、磁力センサーの出力に基づき閉じ姿勢の確立時に前記基準角位置のディスプレイ用筐体が検出されると、前記ディスプレイパネルの画面から表示を消去し、磁力センサーの出力に基づき閉じ姿勢の確立時に前記特定角位置のディスプレイ用筐体が検出されると、ディスプレイパネルの画面上で本体筐体から外側に視認可能な特定の表示を映し出す制御回路とをさらに備えることを特徴とする電子機器。
【請求項９】
本体筐体と、表面で本体筐体の表側平坦面に重ね合わせられ、ディスプレイパネルの画面を臨ませる窓孔を表面に区画するディスプレイ用筐体と、本体筐体の表側平坦面に平行な第１回転軸回りで回転自在に本体筐体にディスプレイ用筐体を連結し、本体筐体の表側平坦面にディスプレイ用筐体を重ね合わせる閉じ姿勢から、本体筐体に対して第１回転軸回りにディスプレイ用筐体を開かせる開き姿勢までディスプレイ用筐体の姿勢変化を許容する第１連結機構と、ディスプレイ用筐体が閉じ姿勢を確立する際に本体筐体の表側平坦面に直交する第２回転軸回りに回転自在に筐体本体にディスプレイ用筐体を連結し、本体筐体でディスプレイ用筐体の窓孔を完全に覆い隠す基準角位置から第２回転軸回りに少なくとも９０度の範囲でディスプレイ用筐体の回転を許容するとともに、基準角位置から９０度未満の特定角位置でディスプレイ用筐体の回転を規制し本体筐体の縁からディスプレイパネルの画面をはみ出させる第２連結機構とを備えることを特徴とする電子機器。
【請求項１０】
本体筐体と、表面で本体筐体の表側平坦面に重ね合わせられる、窓孔を有する補助筐体と、本体筐体の表側平坦面に平行な第１回転軸回りで回転自在に本体筐体に連結され、表面で補助筐体の裏面を受け止め、本体筐体の表側平坦面に補助筐体を重ね合わせる閉じ姿勢から、本体筐体に対して第１回転軸回りに補助筐体を開かせる開き姿勢まで姿勢変化を許容するヒンジブラケットと、ヒンジブラケットが閉じ姿勢を確立する際に本体筐体の表側平坦面に直交する第２回転軸回りに回転自在にヒンジブラケットに補助筐体を連結し、本体筐体で補助筐体の窓孔を完全に覆い隠す基準角位置から第２回転軸回りに少なくとも９０度の範囲で補助筐体の回転を許容するとともに、基準角位置から９０度未満の特定角位置で補助筐体の回転を規制する連結機構とを備えることを特徴とする電子機器。
【発明の詳細な説明】
【技術分野】
【０００１】
本発明は、例えば携帯電話端末といった電子機器に関し、特に、本体筐体と、表面で本体筐体の表側平坦面に重ね合わせられ、ディスプレイパネルの画面を臨ませる窓孔を表面に区画するディスプレイ用筐体とを備える電子機器に関する。
【背景技術】
【０００２】
メインディスプレイおよびサブディスプレイを備える折り畳み式携帯電話端末は広く知られる。メインディスプレイのディスプレイパネルはディスプレイ用筐体の表面に埋め込まれる。サブディスプレイのディスプレイパネルはディスプレイ用筐体の裏面に埋め込まれる。折り畳み時にメインディスプレイの画面は完全に本体筐体で覆い隠される。サブディスプレイの画面には時刻や着信の有無、メールの受信の有無が表示される。携帯電話端末の使用者は、携帯電話端末を開かずに時刻や着信の有無、メールの受信の有無を確認することができる。
【特許文献１】特開２００３−３１９０４３号公報
【特許文献２】特開２００４−３３２８２７号公報
【発明の開示】
【発明が解決しようとする課題】
【０００３】
サブディスプレイは便利な機能を提供することができるものの、携帯電話端末のデザインは制約される。サブディスプレイが省略されれば、デザインの自由度は拡大する。サブディスプレイに代えてサブディスプレイの機能を提供する術が要求される。
【０００４】
本発明は、上記実状に鑑みてなされたもので、サブディスプレイの機能を失うことなくサブディスプレイを省略することができる電子機器を提供することを目的とする。
【課題を解決するための手段】
【０００５】
上記目的を達成するために、第１発明によれば、本体筐体と、表面で本体筐体の表側平坦面に重ね合わせられ、ディスプレイパネルの画面を臨ませる窓孔を表面に区画するディスプレイ用筐体と、本体筐体の表側平坦面に平行な第１回転軸回りで回転自在に本体筐体に連結され、表面でディスプレイ用筐体の裏面を受け止め、本体筐体の表側平坦面にディスプレイ用筐体を重ね合わせる閉じ姿勢から、本体筐体に対して第１回転軸回りにディスプレイ用筐体を開かせる開き姿勢まで姿勢変化を許容するヒンジブラケットと、ヒンジブラケットが閉じ姿勢を確立する際に本体筐体の表側平坦面に直交する第２回転軸回りに回転自在にヒンジブラケットにディスプレイ用筐体を連結し、本体筐体でディスプレイ用筐体の窓孔を完全に覆い隠す基準角位置から第２回転軸回りに少なくとも９０度の範囲でディスプレイ用筐体の回転を許容するとともに、基準角位置から９０度未満の特定角位置でディスプレイ用筐体の回転を規制し本体筐体の縁からディスプレイパネルの画面をはみ出させる連結機構とを備えることを特徴とする電子機器が提供される。
【０００６】
ディスプレイ用筐体が第２回転軸回りで基準角位置に位置決めされると、ヒンジブラケットの閉じ姿勢でディスプレイパネルの画面は本体筐体に覆い隠される。ディスプレイパネルの画面は保護される。ディスプレイ用筐体の基準角位置が維持されたままヒンジブラケットの開き姿勢が確立されると、ディスプレイパネルの画面は本体筐体の表側平坦面に並べられる。電子機器の使用者はディスプレイパネルの画面全体を視認することができる。ヒンジブラケットの閉じ姿勢でディスプレイ用筐体が特定角位置に位置決めされると、本体筐体の縁からディスプレイパネルの画面ははみ出す。電子機器の使用者は部分画面で表示を確認することができる。こういった部分画面はいわゆるサブディスプレイパネルと同等に機能することができる。その結果、従来のサブディスプレイパネルは省略されることができる。電子機器のデザインの自由度は増大する。
【０００７】
こういった電子機器では特定角位置は基準角位置から４５度に設定されればよい。４５度の傾斜は電子機器の見栄えを向上する。ヒンジブラケットには、閉じ姿勢の確立時に前記ディスプレイ用筐体が特定角位置に位置決めされるとディスプレイ用筐体の輪郭に合わせ込まれる輪郭が規定されてもよい。こういった輪郭は電子機器の見栄えを向上する。
【０００８】
その他、電子機器は、ヒンジブラケットおよびディスプレイ用筐体のいずれか一方に取り付けられる磁石と、ヒンジブラケットおよびディスプレイ用筐体の他方に取り付けられて、閉じ姿勢の確立時にディスプレイ用筐体が特定角位置に位置決めされると磁石に向き合わせられる磁力センサーと、磁力センサーの出力に基づき閉じ姿勢の確立時に基準角位置のディスプレイ用筐体が検出されると、ディスプレイパネルの画面から表示を消去し、磁力センサーの出力に基づき閉じ姿勢の確立時に特定角位置のディスプレイ用筐体が検出されると、ディスプレイパネルの画面上で本体筐体から外側に視認可能な特定の表示を映し出す制御回路とをさらに備えてもよい。
【０００９】
こういった電子機器によれば、ディスプレイ用筐体が前述の特定角位置に位置決めされると、確実に視認可能な部分画面に表示は映し出される。従来のサブディスプレイパネルの機能は確実に肩代わりされることができる。
【００１０】
第２発明によれば、本体筐体と、表面で本体筐体の表側平坦面に重ね合わせられ、ディスプレイパネルの画面を臨ませる窓孔を表面に区画するディスプレイ用筐体と、本体筐体の表側平坦面に平行な第１回転軸回りで回転自在に本体筐体に連結され、表面でディスプレイ用筐体の裏面を受け止め、本体筐体の表側平坦面にディスプレイ用筐体を重ね合わせる閉じ姿勢から、本体筐体に対して第１回転軸回りにディスプレイ用筐体を開かせる開き姿勢まで姿勢変化を許容するヒンジブラケットと、ヒンジブラケットが閉じ姿勢を確立する際に本体筐体の表側平坦面に直交する第２回転軸回りに回転自在にヒンジブラケットにディスプレイ用筐体を連結し、本体筐体でディスプレイ用筐体の窓孔を完全に覆い隠す基準角位置から第２回転軸回りに順方向および逆方向に少なくとも各々９０度の範囲でディスプレイ用筐体の回転を許容するとともに、基準角位置から順方向および逆方向に９０度未満の特定角位置でディスプレイ用筐体の回転を規制し本体筐体の縁からディスプレイパネルの画面をはみ出させる連結機構とを備えることを特徴とする電子機器が提供される。
【００１１】
ディスプレイ用筐体が第２回転軸回りで基準角位置に位置決めされると、ヒンジブラケットの閉じ姿勢でディスプレイパネルの画面は本体筐体に覆い隠される。ディスプレイパネルの画面は保護される。ディスプレイ用筐体の基準角位置が維持されたままヒンジブラケットの開き姿勢が確立されると、ディスプレイパネルの画面は本体筐体の表側平坦面に並べられる。電子機器の使用者はディスプレイパネルの画面全体を視認することができる。ヒンジブラケットの閉じ姿勢でディスプレイ用筐体が特定角位置に位置決めされると、本体筐体の縁からディスプレイパネルの画面ははみ出す。電子機器の使用者は部分画面で表示を確認することができる。こういった部分画面はいわゆるサブディスプレイパネルと同等に機能することができる。その結果、従来のサブディスプレイパネルは省略されることができる。電子機器のデザインの自由度は増大する。しかも、ディスプレイ用筐体は基準角位置から順方向に回転しても逆方向に回転しても所望の特定角位置は確立されることができる。前述と同様に、特定角位置は基準角位置から±４５度に設定されればよい。ヒンジブラケットには、閉じ姿勢の確立時に前記ディスプレイ用筐体が特定角位置に位置決めされるとディスプレイ用筐体の輪郭に合わせ込まれる輪郭が規定されてもよい。その他、電子機器は、ヒンジブラケットおよびディスプレイ用筐体のいずれか一方に取り付けられる磁石と、ヒンジブラケットおよびディスプレイ用筐体の他方に取り付けられて、閉じ姿勢の確立時にディスプレイ用筐体が特定角位置に位置決めされると磁石に向き合わせられる磁力センサーと、磁力センサーの出力に基づき閉じ姿勢の確立時に基準角位置のディスプレイ用筐体が検出されると、ディスプレイパネルの画面から表示を消去し、磁力センサーの出力に基づき閉じ姿勢の確立時に特定角位置のディスプレイ用筐体が検出されると、ディスプレイパネルの画面上で本体筐体から外側に視認可能な特定の表示を映し出す制御回路とをさらに備えてもよい。
【００１２】
第３発明によれば、本体筐体と、表面で本体筐体の表側平坦面に重ね合わせられ、ディスプレイパネルの画面を臨ませる窓孔を表面に区画するディスプレイ用筐体と、本体筐体の表側平坦面に平行な第１回転軸回りで回転自在に本体筐体にディスプレイ用筐体を連結し、本体筐体の表側平坦面にディスプレイ用筐体を重ね合わせる閉じ姿勢から、本体筐体に対して第１回転軸回りにディスプレイ用筐体を開かせる開き姿勢までディスプレイ用筐体の姿勢変化を許容する第１連結機構と、ディスプレイ用筐体が閉じ姿勢を確立する際に本体筐体の表側平坦面に直交する第２回転軸回りに回転自在に筐体本体にディスプレイ用筐体を連結し、本体筐体でディスプレイ用筐体の窓孔を完全に覆い隠す基準角位置から第２回転軸回りに少なくとも９０度の範囲でディスプレイ用筐体の回転を許容するとともに、基準角位置から９０度未満の特定角位置でディスプレイ用筐体の回転を規制し本体筐体の縁からディスプレイパネルの画面をはみ出させる第２連結機構とを備えることを特徴とする電子機器が提供される。
【００１３】
ディスプレイ用筐体が第２回転軸回りで基準角位置に位置決めされると、ディスプレイ用筐体の閉じ姿勢でディスプレイパネルの画面は本体筐体に覆い隠される。ディスプレイパネルの画面は保護される。ディスプレイ用筐体の基準角位置が維持されたままディスプレイ用筐体の開き姿勢が確立されると、ディスプレイパネルの画面は本体筐体の表側平坦面に並べられる。電子機器の使用者はディスプレイパネルの画面全体を視認することができる。ディスプレイ用筐体の閉じ姿勢でディスプレイ用筐体が特定角位置に位置決めされると、本体筐体の縁からディスプレイパネルの画面ははみ出す。電子機器の使用者は部分画面で表示を確認することができる。こういった部分画面はいわゆるサブディスプレイパネルと同等に機能することができる。その結果、従来のサブディスプレイパネルは省略されることができる。電子機器のデザインの自由度は増大する。
【発明の効果】
【００１４】
以上のように本発明によれば、サブディスプレイは省略されることができる。しかも、サブディスプレイの機能は肩代わりされることができる。
【発明を実施するための最良の形態】
【００１５】
以下、添付図面を参照しつつ本発明の一実施形態を説明する。
【００１６】
図１は本発明に係る電子機器の一具体例すなわち折り畳み式携帯電話端末１１の外観を示す。この携帯電話端末１１は送話器１２と受話器１３とを備える。送話器１２は第１筐体すなわち本体筐体１４を備える。本体筐体１４内にはプリント基板（図示されず）が組み込まれる。周知の通り、プリント基板には例えばＣＰＵ（中央処理演算装置）やメモリといった処理回路が実装される。本体筐体は例えばＡＢＳといった強化樹脂材料から成型されればよい。
【００１７】
受話器１３は第２筐体すなわちディスプレイ用筐体１５を備える。ディスプレイ用筐体１５は表面で本体筐体１４の表側平坦面に重ね合わせられる。ディスプレイ用筐体１５の輪郭は本体筐体１４の輪郭に合わせ込まれる。こうしてディスプレイ用筐体１５の表面は完全に本体筐体１４で覆われる。ディスプレイ用筐体１５は例えばＡＢＳといった強化樹脂材料から成型されればよい。
【００１８】
ディスプレイ用筐体１５にはヒンジブラケット１６が連結される。ヒンジブラケット１６は本体筐体１４に連結される。ヒンジブラケット１６および本体筐体１４の連結にあたって第１連結機構１７が用いられる。この第１連結機構１７はヒンジ１８を備える。ヒンジ１８は本体筐体１４およびヒンジブラケット１６の間で第１回転軸ＨＸ回りに回転を実現する。こうしてヒンジブラケット１６は第１回転軸ＨＸ回りで回転自在に本体筐体１４に連結される。第１回転軸ＨＸは本体筐体１４の表側平坦面に平行に延びる。図２から明らかなように、ヒンジブラケット１６は、本体筐体１４の表側平坦面にディスプレイ用筐体１５を重ね合わせる閉じ姿勢から、本体筐体１４に対して第１回転軸ＨＸ回りにディスプレイ用筐体１５を開かせる開き姿勢まで姿勢変化を許容する。こうしてディスプレイ用筐体１５は閉じ姿勢および開き姿勢の間で姿勢を変化させる。
【００１９】
図２に示されるように、ディスプレイ用筐体１５の表面には矩形の窓孔１９が区画される。ディスプレイ用筐体１５には液晶ディスプレイ（ＬＣＤ）パネル２１といった平面ディスプレイパネルが組み込まれる。ＬＣＤパネル２１の画面は窓孔１９に臨む。ＬＣＤパネル２１の画面にはＣＰＵの処理動作に応じて様々なテキストやグラフィックスが表示される。ディスプレイ用筐体１５の表面には受話口２２が区画される。受話口２２内にはスピーカーが組み込まれる。通話にあたってスピーカーは通話相手の音声を再生する。
【００２０】
送話器１２の表側平坦面にはオンフックボタン２３ａやオフフックボタン２３ｂ、ダイヤルキー２３ｃといった入力ボタンが埋め込まれる。入力ボタンの操作に応じてＣＰＵは様々な処理を実行する。本体筐体１４の表側平坦面には送話口２４が区画される。送話口２４内にはマイクが組み込まれる。通話にあたって携帯電話端末１１の使用者はマイクから音声を入力する。
【００２１】
ヒンジブラケット１６は表面でディスプレイ用筐体１５の裏面を受け止める。ヒンジブラケット１６の表面にはディスプレイ用筐体１５の裏面が重ね合わせられる。ディスプレイ用筐体１５は第２回転軸ＲＸ回りで回転自在にヒンジブラケット１６に連結される。第２回転軸ＲＸは、第１回転軸ＨＸに直交する仮想平面内で延びる。同時に、第２回転軸ＲＸはヒンジブラケット１６の表面に交差する。ここでは、交差角は９０度に設定される。こうしてディスプレイ用筐体１５は第１回転軸ＨＸ回りで本体筐体１４に対して回転することができる。
【００２２】
図３に示されるように、ディスプレイ用筐体１５の裏面には第２連結機構２６が組み込まれる。第２連結機構２６は前述の第２回転軸ＲＸに同心に延びる中空軸２７を備える。中空軸２７は不動にディスプレイ用筐体１５に固定される。中空軸２７には中空軸２７回りで相対回転自在に環状部材２８が装着される。環状部材２８は中空軸２７に対してその軸方向に相対変位不能に連結される。すなわち、環状部材２８の離脱は防止される。この環状部材２８にヒンジブラケット１６が固定される。ヒンジブラケット１６および環状部材２８の間で中空軸２７回りに相対回転は規制される。こうして中空軸２７および環状部材２８の相対回転に基づきディスプレイ用筐体１５およびヒンジブラケット１６の相対回転は実現される。
【００２３】
環状部材２８の外縁には中心角４５度の間隔で５つの窪み２９ａ、２９ｂ、２９ｃが形成される。窪み２９ａ、２９ｂ、２９ｃは中空軸２７の軸心すなわち第２回転軸ＲＸに向かって窪む。窪み２９ａ、２９ｂ、２９ｃの輪郭は例えば弓形に設定される。その一方で、環状部材２８の外縁には弓形の突片３１が向き合わせられる。例えば３本の伸張ばね３２の働きで突片３１は中空軸２７の軸心すなわち第２回転軸ＲＸに向かって押しやられる。突片３１は窪み２９ａ、２９ｂ、２９ｃに受け入れられる。中央の窪み２９ａは基準角位置を特定する。突片３１が中央の第１窪み２９ａに受け入れられると、後述されるように、ディスプレイ用筐体１５は基準角位置に位置決めされる。両端の窪み２９ｂは基準角位置から中心角±９０度すなわち最大回転角位置を特定する。突片３１が両端の第２窪み２９ｂのいずれかに受け入れられると、後述されるように、ディスプレイ用筐体１５は最大回転角位置に位置決めされる。中央の窪み２９ａの両隣りの第３窪み２９ｃは本発明に係る特定角位置を特定する。ここでは、特定角位置は基準角位置から中心角±４５度に設定される。突片３１が第３窪み２９ｃのいずれかに受け入れられると、後述されるように、ディスプレイ用筐体１５は特定角位置に位置決めされる。こうして突片３１および窪み２９ａ、２９ｂ、２９ｃの働きでディスプレイ用筐体１５の回転は基準角位置、基準角位置から±４５度および基準角位置から±９０度で規制される。
【００２４】
ディスプレイ用筐体１５およびヒンジブラケット１６の間には補助ロック機構３４が構成される。補助ロック機構３４は、ディスプレイ用筐体１５の裏面に形成される３つの突片３５ａ、３５ｂを備える。突片３５ａ、３５ｂは、第２回転軸ＲＸに同心の円弧上で中心角４５度の間隔で配置される。各突片３５ａ、３５ｂには第２回転軸ＲＸに向かって窪む窪み３６が形成される。中央の突片３５ａの窪み３６および前述の第１窪み２９ａは中空軸２７の軸心すなわち第２回転軸ＲＸに同心の円弧の１半径線上に配置される。したがって、両側の突片３５ｂおよび前述の第３窪み２９ｃは中空軸２７の軸心すなわち第２回転軸ＲＸに同心の円弧の１半径線上に配置される。
【００２５】
その一方で、図４に示されるように、突片３５ａ、３５ｂで描かれる円弧の外側にはロックピン３７が配置される。ロックピン３７はヒンジブラケット１６に取り付けられる。ロックピン３７は円弧の半径線上で前進および後退を実現する。ロックピン３７は第２回転軸ＲＸに向かって例えば伸張ばね３８で押しやられる。ロックピン３７の先端は窪み３６に受け入れられる。ロックピン３７の先端は窪み３６の形状を反映する。こうしてロックピン３７および窪み３６の働きでディスプレイ用筐体１５およびヒンジブラケット１６の間で相対回転の規制は補強される。
【００２６】
図５に示されるように、ディスプレイ用筐体１５およびヒンジブラケット１６の間には回転角検知機構４１が構成される。回転角検知機構４１は、ヒンジブラケット１６上に取り付けられる３つの磁石４２を備える。磁石４２は中空軸２７の軸心すなわち第２回転軸ＲＸに同心の円弧に沿って例えば中心角４５度の間隔で配置される。
【００２７】
その一方で、ディスプレイ用筐体１５には第１および第２磁力センサー４３ａ、４３ｂが取り付けられる。磁力センサー４３ａ、４３ｂは中空軸２７の軸心すなわち第２回転軸ＲＸに同心の円弧に沿って例えば中心角９０度の間隔で配置される。すなわち、前述の第２連結機構２６の働きでディスプレイ用筐体１５が基準角位置に位置決めされると、第１および第２磁力センサー４３ａ、４３ｂは個別に両端の磁石４２に向き合わせられる。ただし、回転角検知機構４１では磁石４２がディスプレイ用筐体１５に取り付けられるとともに第１および第２磁力センサー４３ａ、４３ｂがヒンジブラケット１６に取り付けられてもよい。
【００２８】
図６に示されるように、本体筐体１４およびヒンジブラケット１６の間には開閉検知機構４４が構成される。この開閉検知機構４４は、本体筐体１４およびヒンジブラケット１６のいずれか一方に取り付けられる磁石４５を備える。本体筐体１４およびヒンジブラケット１６の他方には開閉磁力センサー４６が取り付けられる。磁石４５および開閉磁力センサー４６は例えば第１回転軸ＨＸに直交する１仮想平面上に配置される。ヒンジブラケット１６が第１回転軸ＨＸ回りで閉じ姿勢を確立すると、開閉磁力センサー４６は磁石４５に向き合わせられる。磁石４５の磁力に応じて開閉磁力センサー４６は検知信号を出力する。
【００２９】
図７に示されるように、第１および第２並びに開閉磁力センサー４３ａ、４３ｂ、４６には制御回路４７が接続される。第１および第２磁力センサー４３ａ、４３ｂが磁力を検出すると、第１および第２磁力センサー４３ａ、４３ｂは制御回路４７に検知信号を供給する。同様に、開閉磁力センサー４６が磁力を検出すると、開閉磁力センサー４６は制御回路４７に検知信号を供給する。
【００３０】
制御回路４７にはディスプレイドライバー４８が接続される。ディスプレイドライバー４８にはディスプレイパネル２１が接続される。ディスプレイドライバー４８は、制御回路４７から供給される指令に基づきディスプレイパネル２１上の表示を制御する。制御回路４７は、第１および第２並びに開閉磁力センサー４３ａ、４３ｂ、４６から供給される検知信号に基づき指令信号を生成する。
【００３１】
いま、第２連結機構２６の働きでディスプレイ用筐体１５が基準角位置に位置決めされる場面を想定する。図３から明らかなように、第２連結機構２６では環状部材２８の第１窪み２９ａに突片３１が受け入れられる。伸張ばね３２の働きで突片３１は第１窪み２９ａに押し付けられる。第２回転軸ＲＸ回りに環状部材２８すなわちディスプレイ用筐体１５の回転は規制される。このとき、補助ロック機構３４ではロックピン３７の先端は中央の突片３５ａの窪み３６に受け入れられる。伸張ばね３８の働きでロックピン３７は窪み３６に向かって押し付けられる。第２回転軸ＲＸ回りに環状部材２８すなわちディスプレイ用筐体１５およびヒンジブラケット１６の間で回転の規制は補強される。このとき、図５から明らかなように、第１磁力センサー４３ａは磁石４２に向き合わせられる。同様に、第２磁力センサー４３ｂは磁石４２に向き合わせられる。第１および第２磁力センサー４３ａ、４３ｂから同時に検知信号は制御回路４７に供給される。
【００３２】
受話器１３すなわちディスプレイ用筐体１５が第１回転軸ＨＸ回りに開き姿勢を確立すると、図２に示されるように、送話器１２および受話器１３はともに正面を向く。縦置きの送話器１２に対してＬＣＤパネル２１は縦長の画面を実現する。携帯電話端末１１の使用者はＬＣＤパネル２１の画面を見ながらダイヤルキー２３ｃといった入力ボタンを確認することができる。開閉磁力センサー４６は磁石４５から遠ざかる。開閉磁力センサー４６は検知信号を出力しない。制御回路４７の指令に基づきＬＣＤパネル２１は例えば縦長の画面上で縦長に画像を映し出す。
【００３３】
例えばディスプレイ用筐体１５の開き姿勢ではディスプレイ用筐体１５は第２回転軸ＲＸ回りで回転することができる。ディスプレイ用筐体１５が基準角位置から例えば時計回りすなわち順方向に９０度の回転角で回転すると、図８に示されるように、ディスプレイ用筐体１５は最大回転角位置に位置決めされる。縦置きの送話器１２に対してＬＣＤパネル２１は横長の画面を実現する。携帯電話端末１１の使用者は横長の画面でテキストやグラフィックスを楽しむことができる。
【００３４】
このとき、第２連結機構２６では、例えば図９に示されるように、環状部材２８の第２窪み２９ｂに突片３１は受け入れられる。伸張ばね３２の働きで突片３１は第２窪み２９ｂに押し付けられる。第２回転軸ＲＸ回りに環状部材２８すなわちディスプレイ用筐体１５の回転は規制される。補助ロック機構３４ではロックピン３７の先端はいずれの突片３５ａ、３５ｂからも外れる。第１磁力センサー４３ａは磁石４２から遠ざかる。同様に、第２磁力センサー４３ｂは順番に３つの磁石４２に向き合わせられる。第２磁力センサー４３ｂから検知信号は制御回路４７に供給される。こうして第１磁力センサー４３ａの出力が途絶えることから、制御回路４７は第２回転軸ＲＸ回りに順方向にディスプレイ用筐体１５の最大回転角位置を検知することができる。制御回路４７は横長の画面上に横長に画像を表示する。
【００３５】
反対に、ディスプレイ用筐体１５が第２回転軸ＲＸ回りで基準角位置から反時計回りすなわち逆方向に９０度の回転角で回転すると、図１０に示されるように、ディスプレイ用筐体１５は最大回転角位置に位置決めされる。縦置きの送話器１２に対してＬＣＤパネル２１は横長の画面を実現する。第２連結機構２６では、前述と同様に、環状部材２８の第２窪み２９ｂに突片３１は受け入れられる。補助ロック機構３４ではロックピン３７の先端はいずれの突片３５ａ、３５ｂからも外れる。第２磁力センサー４３ｂは磁石４２から遠ざかる。同様に、第１磁力センサー４３ａは順番に３つの磁石４２に向き合わせられる。第２磁力センサー４３ｂの出力が途絶えることから、制御回路４７は第２回転軸ＲＸ回りに逆方向にディスプレイ用筐体１５の最大回転角位置を検知することができる。
【００３６】
次に、ディスプレイ用筐体１５が基準角位置に維持されたまま第１回転軸ＨＸ回りにディスプレイ用筐体１５の閉じ姿勢が確立される場面を想定する。図１に示されるように、ディスプレイ用筐体１５は本体筐体１４の表側平坦面に重ね合わせられる。携帯電話端末１１は閉じられる。折り畳み状態すなわち閉じ姿勢が確立される。本体筐体１４はディスプレイ用筐体１５の窓孔１９すなわちＬＣＤパネル２１の画面を完全に覆い隠す。
【００３７】
このとき、開閉磁力センサー４６は磁石４５に向き合わせられる。したがって、開閉磁力センサー４６は検知信号を出力する。制御回路４７は第１および第２並びに開閉磁力センサー４３ａ、４３ｂ、４６から同時に検知信号を受信する。制御回路４７はディスプレイドライバー４８に表示の消去を指示する。ディスプレイドライバー４８はＬＣＤパネル２１の画面から画像を消去する。ＬＣＤパネル２１の電源は落とされればよい。無駄な表示は防止される。電力の消費は低減される。
【００３８】
ディスプレイ用筐体１５の閉じ姿勢でディスプレイ用筐体１５は第２回転軸ＲＸ回りで回転することができる。ディスプレイ用筐体１５が基準角位置から例えば時計回りすなわち順方向に４５度の回転角で回転すると、図１１に示されるように、ディスプレイ用筐体１５は特定角位置に位置決めされる。縦置きの送話器１２に対してＬＣＤパネル２１は傾斜する。本体筐体１４の縁からＬＣＤパネル２１の画面ははみ出る。携帯電話端末１１の使用者は、矩形の画面の隅を含む三角形状の部分画面でテキストやグラフィックスを確認することができる。
【００３９】
このとき、第２連結機構２６では、例えば図１２に示されるように、環状部材２８の第３窪み２９ｃに突片３１は受け入れられる。伸張ばね３２の働きで突片３１は第３窪み２９ｃに押し付けられる。第２回転軸ＲＸ回りに環状部材２８すなわちディスプレイ用筐体１５の回転は規制される。補助ロック機構３４ではロックピン３７の先端は突片３５ｂの窪み３６に受け入れられる。伸張ばね３８の働きでロックピン３７は窪み３６に向かって押し付けられる。第２回転軸ＲＸ回りに環状部材２８すなわちディスプレイ用筐体１５およびヒンジブラケット１６の間で回転の規制は補強される。ここでは、ディスプレイ用筐体１５の輪郭はヒンジブラケット１６の輪郭に部分的に重なり合う。携帯電話端末１１の見栄えは向上する。
【００４０】
第１磁力センサー４３ａは磁石４２から遠ざかる。同時に、第２磁力センサー４３ｂは中央の磁石４２に向き合わせられる。第２磁力センサー４３ｂから検知信号は制御回路４７に供給される。こうして第１磁力センサー４３ａの出力が途絶えることから、制御回路４７は第２回転軸ＲＸ回りに順方向にディスプレイ用筐体１５の特定角位置を検知することができる。制御回路４７は三角形状の部分画面上に表示を映し出す。表示は部分画面に対応して作り込まれる。表示には例えば日時や着信の有無、メール受信の有無、電波状態、電池残量などのテキストやグラフィックスが含まれる。
【００４１】
反対に、ディスプレイ用筐体１５が第２回転軸ＲＸ回りで基準角位置から反時計回りすなわち逆方向に４５度の回転角で回転すると、図１３に示されるように、ディスプレイ用筐体１５は特定角位置に位置決めされる。縦置きの送話器１２に対してＬＣＤパネル２１は傾斜する。第２連結機構２６では、前述と同様に、環状部材２８の第３窪み２９ｃに突片３１は受け入れられる。補助ロック機構３４ではロックピン３７の先端は突片３５ｂの窪み３６に受け入れられる。第２磁力センサー４３ｂは磁石４２から遠ざかる。同時に、第１磁力センサー４３ａは中央の磁石４２に向き合わせられる。第２磁力センサー４３ｂの出力が途絶えることから、制御回路４７は第２回転軸ＲＸ回りに逆方向にディスプレイ用筐体１５の特定角位置を検知することができる。
【００４２】
以上のような携帯電話端末１１では第１回転軸ＨＸ回りでディスプレイ用筐体１５の閉じ姿勢が維持されたまま第２回転軸ＲＸ回りにディスプレイ用筐体１５の特定角位置でＬＣＤパネル２１の部分画面は確認されることができる。こういった部分画面はいわゆるサブディスプレイパネルと同等に機能することができる。その結果、従来のサブディスプレイパネルは省略されることができる。携帯電話端末１１のデザインの自由度は増大する。
【図面の簡単な説明】
【００４３】
【図１】本発明の一実施形態に係る折り畳み式携帯電話端末の外観を示す斜視図である。
【図２】開き姿勢のディスプレイ用筐体を含む携帯電話端末の外観を示す斜視図である。
【図３】ディスプレイ用筐体の裏面上で第２連結機構を概略的に示す平面図である。
【図４】ヒンジブラケットの表面上で補助ロック機構を概略的に示す平面図である。
【図５】ヒンジブラケット上で回転角検知機構を概略的に示すディスプレイ用筐体およびヒンジブラケットの平面透視図である。
【図６】開閉検知機構の構造を概略的に示す本体筐体およびディスプレイ用筐体の側面透視図である。
【図７】ＬＣＤパネルに関連する制御系を概略的に示すブロック図である。
【図８】ディスプレイ用筐体の開き姿勢で第２回転軸回りに順方向に９０度にわたって回転するディスプレイ用筐体を概略的に示す正面図である。
【図９】ディスプレイ用筐体が第２回転軸回りに最大回転角位置に位置決めされる際にヒンジブラケットの表面上で第２連結機構、補助ロック機構および回転角検知機構を概略的に示す概念図である。
【図１０】ディスプレイ用筐体の開き姿勢で第２回転軸回りに逆方向に９０度にわたって回転するディスプレイ用筐体を概略的に示す正面図である。
【図１１】ディスプレイ用筐体の閉じ姿勢で第２回転軸回りに順方向に４５度にわたって回転するディスプレイ用筐体を概略的に示す背面図である。
【図１２】ディスプレイ用筐体が第２回転軸回りに特定角位置に位置決めされる際にヒンジブラケットの表面上で第２連結機構、補助ロック機構および回転角検知機構を概略的に示す概念図である。
【図１３】ディスプレイ用筐体の閉じ姿勢で第２回転軸回りに逆方向に４５度にわたって回転するディスプレイ用筐体を概略的に示す背面図である。
【符号の説明】
【００４４】
１１  電子機器（携帯電話端末）、１４  本体筐体、１５  ディスプレイ用筐体、１６  ヒンジブラケット、１９  窓孔、２１  ディスプレイパネル（ＬＣＤパネル）、２６  連結機構（第２連結機構）、４２  磁石、４３ａ  磁力センサー、４３ｂ  磁力センサー、４７  制御回路、ＨＸ  第１回転軸、ＲＸ  第２回転軸。
【図１】
2008153901.tif 000003
【図２】
2008153901.tif 000004
【図３】
2008153901.tif 000005
【図４】
2008153901.tif 000006
【図５】
2008153901.tif 000007
【図６】
2008153901.tif 000008
【図７】
2008153901.tif 000009
【図８】
2008153901.tif 000010
【図９】
2008153901.tif 000011
【図１０】
2008153901.tif 000012
【図１１】
2008153901.tif 000013
【図１２】
2008153901.tif 000014
【図１３】
2008153901.tif 000015